(57)【要約】  本発明は、互いの延長線上に積重ねられた複数の基本容器（１）から成るモジュール式容器を対象とする。基本容器（１）は、首部（２）を収容する陥凹（５）底面（４）を有している。嵌込み機構（６、７）は、基本容器の軸方向接合のために回転によって基本容器（１）を互いに組立てることのできる、嵌込みにより協働する周方向の傾斜路（８、９）と、基本容器（１）の相互間の回転組立てのロック手段を構成し自動的逆回転を禁止することのできる、クリッピングにより協働するこの回転行程の終点のストッパ（１０、１１）とを組み合わせている。【選択図】図７
2009537414.tif 000002
【特許請求の範囲】
【請求項１】
互いの延長線上に連続的に積重ねられた複数の基本容器（１）から成るモジュール式容器において、基本容器（１）が、類似の形態の首部（２）を収容するための回転構造の陥凹（５）底面（４）を有し、基本容器（１）の底面（４）および首部（２）にそれぞれ、協働する嵌込み機構（６、７）が設けられ、基本容器（１）の相互間の組立て用手段を構成しているモジュール式容器であって、嵌込み機構（６、７）が、基本容器の軸方向接合のために回転によって基本容器（１）を互いに組立てることのできる、嵌込みにより協働する周方向の傾斜路（８、９）と、基本容器（１）の相互間の回転組立てのロック手段を構成し自動的逆回転を禁止することのできる、クリッピングにより協働するこの回転行程の終点のストッパ（１０、１１、１４、１５）とを組み合わせていることを特徴とするモジュール式容器。
【請求項２】
ストッパ（１０、１１、１４、１５）が傾斜路（８、９）に一体化され、嵌込み機構（６、７）の弾性変形の反動としてクリッピングにより互いに協働することを特徴とする、請求項１に記載のモジュール式容器。
【請求項３】
嵌込み機構（６、７）が、該嵌込み機構にそれぞれ一体化されている傾斜路（８、９）および／またはストッパ（１０、１１、１４、１５）を無差別に介して弾性変形可能であることを特徴とする、請求項２に記載のモジュール式容器。
【請求項４】
傾斜路（８、９）が、基本容器（１）の底面（４）および／または首部（２）のいずれか一方または両方に無差別に凹状および／または凸状にそれぞれ設けられていることを特徴とする、請求項１〜３のいずれか一つに記載のモジュール式容器。
【請求項５】
ストッパ（１０、１１、１４、１５）が、基本容器（１）の底面（４）および／または首部（２）にそれぞれ割当てられた傾斜路（８、９）のうちのいずれか一方または両方に無差別に凹状および／または凸状にそれぞれ設けられていることを特徴とする、請求項１〜４のいずれか一つに記載のモジュール式容器。
【請求項６】
ストッパ（１０、１１、１４、１５）間の協働表面が球状支え面を有することを特徴とする、請求項１〜５のいずれか一つに記載のモジュール式容器。
【請求項７】
協働ストッパ（１０、１１、１４、１５）が、回転構造との関係における基本容器（１）相互間の接線方向結合のために傾斜路（８、９）の端部に無差別に設けられた相補的クリッピング用隆起部によって、および／または、基本容器（１）相互間の半径方向結合のために嵌込み機構（６、７）の軸方向および／または周方向面上に無差別に設けられたクリッピング用隆起部によって構成されていることを特徴とする、請求項１〜６のいずれか一つに記載のモジュール式容器。
【請求項８】
雄嵌込み機構が首部（２）に対して成形により一体化されたプレート（１２）で構成され、このプレート（１２）が半径方向に等分布した複数の傾斜路（８）を有し、そのうちの少なくとも一つの傾斜路に少なくとも一つのストッパ（１０、１４）が一体化されており、一方雌嵌込み機構は、底面（４）に対して成形により一体化された相補的形状の陥凹部（１３）で構成されていることを特徴とする、請求項１〜７のいずれか一つに記載のモジュール式容器。
【請求項９】
傾斜路（８）が、プレート（１２）の一区分内に設けられた道筋の形で配置されていることを特徴とする、請求項８に記載のモジュール式容器。
【請求項１０】
協働ストッパ（１０、１１、１４、１５）がそれぞれ球状クラウンの形およびキャップの形で配置され、無差別に軸方向延長部分または半径方向延長部分を有していることを特徴とする、請求項８または請求項９に記載のモジュール式容器。
【請求項１１】
傾斜路（８、９）が無差別に円形またはらせん状の延長部分を有することを特徴とする、請求項８〜１０のいずれか一つに記載のモジュール式容器。
【請求項１２】
傾斜路（８、９）がらせん構造をしており、ストッパ（１０、１１）に対する軸方向に押し込む手段を構成していることを特徴とする、請求項８〜１１のいずれか一つに記載のモジュール式容器。
【請求項１３】
傾斜路（８、９）が、半径方向に等分布され底面（４）の陥凹部および首部（２）の前記回転構造の母線に沿って方向づけされた状態で複数存在することを特徴とする、請求項１〜７のいずれか一つに記載のモジュール式容器。
【請求項１４】
ストッパ（１０、１１）が、底面（４）および首部（２）にそれぞれ割当てられた傾斜路（８、９）のうちのいずれか一方または両方の端部にそれぞれ設けられた少なくとも一つの隆起および一つの溝で構成されていることを特徴とする、請求項１２に記載のモジュール式容器。
【発明の詳細な説明】
【技術分野】
【０００１】
本発明は、空気との接触に敏感な消費物資の包装用の容器、より特定的には積重ねて嵌込むことのできる容器の分野に関するものである。本発明は、互いに連続して積重ねられ組立てられた複数のモジュールから成るモジュール式容器を対象としている。
【背景技術】
【０００２】
空気との接触に敏感な消費物資の包装は、この敏感さを理由としてむずかしくなっている。このような消費物資は、例えば発泡性液体といった食料品または化粧品および／または治療薬である可能性がある。これらの消費物資は往々にして、消費時までの保存を可能にする密閉容器の内部に収納されている。かかる容器は、特に、ブロー成形または類似の成形技術といったようなプラスチック材料の成形によって形成される。しかしながら、容器を開封した後の消費物資の消費には時間がかかる可能性もあり、その結果、容器内部に収納されている消費物資が使いきるまでに改変する危険性がある。
【０００３】
このような理由から、積重ねることで連続的に互いに組立てられた類似の複数の基本容器から成るモジュール式容器が提案されてきた。このようなモジュール式容器は一般に、全体として円筒形の構造を有し、それを構成する基本容器は、隣接する容器の相補的な形をもつ首部を嵌込みにより収容するために特に円錐構造の陥凹底面を有している。基本容器の二つずつの組立ては、例えばフランジを介してか、その首部の端部に備わったネジ込み手段を介してか、さらには又、基本容器の底面および首部上にそれぞれ設けられた協働する嵌込み機構を介して実施される。特に、このようなモジュール式容器について記述している欧州特許出願公開第１３２１３７０号明細書（ＰＩＣＩＡ．）、国際公開第０２／１２０７７号パンフレット（ＲＡＭＪＡＮ，ＲＡＭＡＮ）、独国特許出願公開第１０２３２５７８号明細書（ＣＡＮＡＫ  Ｍ．）、国際公開第０２／３６４４４号パンフレット（ＮＩＣＨＥ  ＥＤＧＥ  Ｌｔｄ）、英国特許出願公開第２３０３１１４号明細書（ＪＯＮＡＴＨＡＮ  ＤＥＲＥＫ＆ＲＯＢＩＮＳＯＮ）、仏国特許発明第８１８９０８号明細書（ＶＥＲＥＩＮＩＧＴＥ  ＬＡＵＳＩＴＺＥＲ  ＧＬＡＳＷＥＲＫＥ  ＡＫＴＩＥＮＧＥＳＥＬＬＳＣＨＡＦＴ）を参照することができる。
【０００４】
克服すべき問題点は、基本容器相互間の迅速かつ確実な組立てにある。実際、この組立てを確実なものにするよう充分堅牢でありながら、消費者にとって重大な障害となる制約を構成しないように、組立て方法は実施の容易なものでなくてはならない。さらに、これらの組立て方法は、基本容器の成形による製造上の制約条件を考慮に入れ、しかも、底面の壁面に対する首部の壁面の望ましい接触を損なう可能性のある基本容器の外形寸法を結果としてもたらすことがないようにしながら実施されなくてはならない。最後に、この組立ては、モジュール式容器の連続的な美的ラインを保つために、この組立てを実施するのに消費者が加える力の作用下で誘発される可能性のある、一つの基本容器が他の基本容器に対して斜めになるおそれがなく、各基本容器の心出しおよび厳密に整列された連続的延長を保証するものでなくてはならない。
【０００５】
欧州特許出願公開第１３２１３７０号明細書では、基本容器に、その首部および底面のそれぞれの周方向に延びる相補的な嵌込み用隆起部を具備することが、さらに特定的に提案された。各嵌込み用隆起部は環状の形態を有し、それらはユーザが加える軸方向の圧力により協働させられる。かかる軸方向の圧力は、一方の隆起部がもう一方の隆起部の内部に移行できるようにするため容器の周方向壁面の半径方向の変形を誘発する。一つの変形形態に従うと、嵌込み用隆起部は、バヨネットタイプの接合装置に配置されて円弧構造に作られている。
【０００６】
かかる配置は、基本容器を相互に組立てるためにユーザが加えるべき力、および／または基本容器を組立てるためおよび分離するためにユーザが行うべき動作を理由として、人間工学的に満足のいくものではない。その上、基本容器の組立てのために用いられる方法は、特にバヨネットタイプの装置を利用する場合に、満足のいく全体的堅牢性をコンテナに付与することのできる頑丈さを提供しない。一方、使用される組立て方法は基本容器の壁面に多大な応力を誘発し、それは、コンテナの耐久性そしてより特定的にはコンテナを構成する基本容器の耐久性にとって有害である。そのような応力は、基本容器相互の厳密な心出しを保証する上で障害となり、その結果、コンテナの美的ラインを改変してしまう。そのような応力はまた、基本容器相互の組立てのための基本容器の取扱い易さにとっても妨げとなる。基本容器の壁面がその変形を可能にする上で充分に可鍛性をもたなければならないことからコンテナが脆いと感じるためか、或いは又堅牢である基本容器の回転壁面の変形に対抗してユーザが結果として軸方向に加えなくてはならない力を理由として、コンテナの人間工学は最終的にユーザに使用を思いとどまらせるものである。バヨネットタイプの装置を活用することから成る変形形態が基本容器相互間の組立てを強化する可能性があるにせよ、これには、それらの組立てに関係する応力を制限するためのあそびが必要となり、これは、このように組立てられた各基本容器の間に結果として発生する摩擦を考えると満足のいくものではない。
【発明の概要】
【発明が解決しようとする課題】
【０００７】
本発明の目的は、表明された問題点に照らして満足のいく解決法を提供する、互いの延長線上に連続して積重ねられる複数の基本容器で構成されたモジュール式容器を提案することにある。より特定的には、本発明の目的は、潜在的にできるかぎり多くの回数行われることが望まれる基本容器の組立ておよび分離という反復的作業にもかかわらず、得られた組立ての信頼性、そして構造面ならびにその全体的な美的ラインの維持に関してコンテナの耐久性を保証しながら、基本容器の回転壁面上に及ぼされる応力を制限する人間工学的な基本容器相互間の組立ておよび分離を可能にすることにある。同様に本発明が目的としているのは、提供されるその利点が、特により低いコストでの獲得を可能にすることにより競争力を損なうことがないようなコンテナを提案することである。
【課題を解決するための手段】
【０００８】
本発明のモジュール式容器は、互いの延長線上に連続的に積重ねられた複数の基本容器から成る。基本容器は、類似の形態の首部を収容するための回転構造の陥凹底面を有する。基本容器の底面および首部にはそれぞれ、協働する嵌込み機構が設けられ、基本容器の相互間の組立て用手段を構成している。
【０００９】
本発明に従うと、このようなモジュール式容器は、主として、嵌込み機構が、基本容器の軸方向接合のために回転によって基本容器を互いに組立てることのできる嵌込みにより協働する周方向の傾斜路と、基本容器の相互間の回転組立てのロック手段を構成し自動的逆回転を禁止することのできる、クリッピングにより協働するこの回転行程の終りのストッパとを組み合わせていることによって識別することができる。
【００１０】
組立て用手段は、傾斜路により構成される基本容器の軸方向嵌込み手段と、ストッパから成る弾性変形による基本容器の半径方向嵌込み手段とを組み合わせている。これらのストッパは、軸方向嵌込み手段により得られた組立てをロックするために、各基本容器を回転行程の終りで互いにクリッピングすることにより協働状態におかれる。これらの配置は、基本容器の軸方向接合のために、これらの基本容器特にその壁面に対して応力をかけることなく自由に回転する運動から基本容器の組立てを得ることができるようにするものである。かかる運動は、基本容器の回転壁面上に応力を発生させる可能性のある力をかけることなくユーザにより容易に実現される。このように応力が無いことでコンテナは保護され、基本容器相互の理想的な心出しが保証され、その結果、モジュール式容器の美的ラインが得られ保たれる。基本容器の心出しおよび軸方向接合を提供する回転運動は、ストッパを介した基本容器相互のクリッピングによって達成されて、それらの軸方向接合をロックし、逆回転によるそれらの自動的分離を禁止する。クリッピングにより協働状態におかれるストッパの表面は、基本容器の回転による軸方向接合方法とは無関係に制限されたり自由に設けられたりでき、このため、基本容器の組立てのためにユーザが加えるべき所望の力に応じておよび／または基本容器の壁面の所望の堅牢性に応じてそれらを適合させることができる。このため、設計者は、基本容器の回転壁面の堅牢性とは無関係に、ストッパの形態および／または堅牢性を容易に適合させることができる。
【００１１】
好ましくはストッパは傾斜路に一体化され、嵌込み機構の弾性変形の反動としてクリッピングにより互いに協働する。これらの配置のため、クリッピングによる基本容器の嵌込みは、嵌込み機構の弾性変形の結果もたらされ、しかも基本容器の回転壁面はかかる弾性変形から除外されて保護される。その結果、基本容器の回転壁面は、その変形に対する強度が基本容器相互間の組立て方法とは無関係であることから、必然的にその変形が不在であるために堅牢であることができる。
【００１２】
より特定的には、嵌込み機構は、基本容器の組立ての際または逆にその分離の際にこれらの基本容器の回転壁面に対し及ぼされる応力をできるかぎり削減するように、嵌込み機構にそれぞれ一体化された傾斜路および／またはストッパを無差別に介して弾性変形可能である。
【００１３】
傾斜路は、基本容器の底面および／または首部のいずれか一方または両方に無差別に凹状および／または凸状にそれぞれ設けられている。
【００１４】
ストッパは、基本容器の底面および／または首部にそれぞれ割当てられた傾斜路のうちのいずれか一方または両方に無差別に凹状および／または凸状にそれぞれ設けられている。ストッパ間の協働表面は有利には球状の支え面または類似のものを有している。
【００１５】
ストッパは、組立てられた二つの基本容器の間の接触表面全体に比較して小さい表面を有する。球状支え面をもつ表面を介して各ストッパを協働させる配置は、例えば、ストッパをそれぞれ球状クラウンの形およびキャップの形または類似の要領で円筒形もしくはそれと同等の構造にすることにより得られる。このような球状支え面は、基本容器相互間の組立てのロックのために活用される弾性変形を漸進的に誘発することのできるカム配置をストッパに付与する。その結果、ユーザが快適に取扱うことができ、基本容器の回転壁面上に誘発され得る応力を制限することができるようになる。
【００１６】
包括的に言うと、嵌込み機構は、それぞれ底面および首部に無差別に設けられる少なくとも一つの雄嵌込み機構および／または少なくとも一つの雌嵌込み機構を組み合わせている。嵌込み機構とそれらが一体化されている基本容器は有利には成形モノブロックであり、嵌込み機構は有利には、一回の成形作業でかまたは二重成形により、基本容器に成形によって一体化される。成形作業は例えば、射出成形かまたはブロー成形作業である。二重成形によりストッパを形成することの利点は、基本容器とそれに一体化されるストッパをそれぞれ構成する材料の間を容易に切り離すことができるという点にある。このような切り離しにより、適切な材料の選択に基づいて基本容器の回転壁面の堅牢性およびストッパの可鍛性を適合させてクリッピングを容易に行なうことができるようにし、それと同時に、基本容器間で得られる組立てをロックするのに充分な強度をこのクリッピングに付与することが可能となる。
【００１７】
複数の嵌込み機構および／またはこれらの嵌込み機構のうちの一つに一体化された複数の傾斜路およびストッパを活用する場合には、嵌込み機構、傾斜路および／またはストッパのそれぞれの雄および雌配置を別々に考慮すべきである。雌嵌込み機構は好ましくは、首部に設けられる雄嵌込み機構の収容用陥凹部を形成するべく底面に設けられるが、嵌込み機構にそれぞれ一体化された単数または複数の傾斜路および単数または複数のストッパが、雄であるかまたは雌であるかこの分布によって決定されるわけではない。より特定的には、雄および雌嵌込み機構は、複数の嵌込み機構のそれぞれに対してのみならず、同じ一つの嵌込み機構についても互いに無差別に凸状または凹状である単数または複数の傾斜路およびストッパをそれぞれに備えていてもよい。
【００１８】
より厳密には、少なくとも一つの雄嵌込み機構は、首部上に凸状に設けられ、その一区分内に少なくとも一つの傾斜路および少なくとも一つのストッパを一体化しており、一方少なくとも一つの雌嵌込み機構は、底面上に設けられた状態で凸状部の収容用凹状部から成り、周方向に少なくとも一つの相補的傾斜路および少なくとも一つの相補的ストッパを有し、これらはそれぞれ前記傾斜路およびストッパと協働する。協働する傾斜路はそれぞれに、もう一つの雄傾斜路の収容用の雌傾斜路の形で無差別に配置されている。協働するストッパはそれぞれに、もう一つの雄ストッパの収容用の雌ストッパの形で無差別に配置されている。傾斜路のこれらの雄および雌配置、さらには又ストッパの雄および雌配置は、好ましくは、同一の傾斜路または同一のストッパについて兼備されている。
【００１９】
各嵌込み機構およびそれらを一体化する基本容器は、有利には成形によって同時に形成されてモノブロックである。ストッパは、嵌込み機構と同時に成形により無差別に形成されかつ／または接着、溶接、二重成形またはその他の類似の連結技術によりこれらの嵌込み機構上に後付けされ得る。ただし、生産上の利得のため、傾斜路およびストッパから成る嵌込み機構を、容器と同時に成形によって形成することが好ましい。
【００２０】
協働するストッパは、その回転構造との関係における基本容器相互間の接線方向結合のために傾斜路の端部に無差別に設けられた相補的クリッピング用隆起部によって、および／または、基本容器相互間の半径方向結合のために嵌込み機構特に傾斜路の軸方向および／または周方向の面に無差別に設けられたクリッピング用隆起部によって、構成されている。
【００２１】
第一の変形実施形態に従うと、雄嵌込み機構は、底面または好ましくは首部に成形により一体化されたプレートで構成されている。このプレートは、半径方向に等分布した複数の傾斜路を有し、これらの傾斜路のうち少なくとも一つ、好ましくは全てに少なくとも一つのストッパが一体化されている。雌嵌込み機構の方はというと、これは首部または底面に成形で逆に一体化された相補的な形状の陥凹部で構成されている。
【００２２】
傾斜路は例えば、プレートの一区分内に設けられた道筋の形で配置され、その凸状縁部および中央凹部が合わさって一つの傾斜路を構成している。
【００２３】
協働するストッパは好ましくはそれぞれにクラウンの形およびキャップの形に配置され、無差別に、プレートおよび陥凹部によりそれぞれ形成された肩部上に設けられて軸方向延長部分を有し、かつ／またはプレートおよび陥凹部のそれぞれの区分上そしてより特定的には特に底面の道筋に対応する傾斜路の区分上に設けられて半径方向延長部分を有する。さらに特定的には、ストッパは、傾斜路の軸方向面上または周方向面上に、別々にまたは組合せた形で設けられている。
【００２４】
傾斜路は、円形またはらせん状の延長部分を無差別に有するが、好ましくは、らせん構造をしており、ストッパに対する軸方向に押し込む手段を構成する。より特定的には、傾斜路は無差別に円形またはらせん状である延長部分を有する。ただし、傾斜路は、ストッパに対する軸方向に押し込む手段を構成するように、らせん状の形態を有することが好ましい。傾斜路は、基本容器間の相対的回転の際に軸方向クリッピング用隆起部の形で配置されたストッパを漸進的に押しやることができる。このような漸進的圧縮は、基本容器の壁面を保護する上で貢献し、基本容器相互の回転行程の終りでストッパを自動的に協働させる上で有利に作用する。その上、ユーザは、基本容器に対しそれらの組立てがロックされるまで漸進的回転力を加え、これが容器の人間工学を改善する。
【００２５】
第二の変形実施形態に従うと、傾斜路は、半径方向に等分布し、かつ底面の陥凹部および首部の前記回転構造の母線に沿って方向づけされた状態で複数存在する。嵌込み機構は主としてこの母線に沿って方向づけされ、好ましくは、連続的にこの母線に沿って全面的または部分的に延びることができるが、嵌込み機構が区間毎に不連続な延長部分を有する実施形態も排除されるわけではない。各嵌込み機構そしてより特定的には各傾斜路は、前記回転構造に対して接線方向に延びる、協働するそれぞれのストッパを有する。
【００２６】
協働するストッパは、例えば、底面および首部にそれぞれ割当てられた傾斜路のうちのいずれか一方または両方の端部にそれぞれ設けられた少なくとも一つの隆起および溝で構成されている。この隆起およびこの溝は特に、球状支え面をもつ類似のタイプのそれらの協働のための円筒形態を有している。隆起および溝の回転表面は、それらをクリッピングにより協働させるため１８０°超の領域にわたり拡がっている。協働するストッパは底面および首部の周方向に設けられており、隆起と溝の拡張軸は平行で、底面および首部の回転軸との関係において半径方向に偏心している。
【００２７】
首部に備わり底面と協働する回転ゾーンの構造を除き、モジュール式容器の外部表面の構造が多角形および／または円形といった任意のものであり得るということに留意されたい。
【００２８】
本発明のモジュール式容器の、制限的な意味はないものの重視される利用分野は、食料品、化粧品および／または治療薬など、または特に保存の利かないその他のあらゆる消費物資の包装にある。このような消費物資は、無差別に、発泡性および／または揮発性の如何に関わらず液体、固体、さらには粉末状および／またはゼリー状および／またはペースト状の消費物資、粉末、おしろい、クリームまたは類似の消費物資であり得る。
【００２９】
基本容器内にそれぞれ収納される消費物資は、基本容器毎に同一の消費物資でも異なる消費物資であってもよい。異なる消費物資の場合、これらは、例えばその使用時に即時混合されるための製品であり得、さらには、同じ性質をもつものの、色および／または状態および／またはテクスチャなどといった点で異なる特徴を呈する製品でもあり得る。
【図面の簡単な説明】
【００３０】
本発明は、添付の図面に関連して変形実施形態について以下に記される記述を読むことで、より良く理解でき、それに関連する詳細が明らかになるものである。
【図１】それぞれ側面および軸方向断面で見た、本発明の第一の実施形態に従ったモジュール式容器の図である。
【図２】それぞれ側面および軸方向断面で見た、本発明の第一の実施形態に従ったモジュール式容器の図である。
【図３】図１および図２に表わされたモジュール式容器を構成する基本容器の軸方向断面図である。
【図４】互いに組立てた状態の、図３に例示したタイプの基本容器対の半径方向断面詳細図である。
【図５】図３に表わされた基本容器の上面図である。
【図６】本発明の第二の実施形態に従ったモジュール式容器の側面図である。
【図７】図６に表わされたモジュール式容器を構成する基本容器の側面図である。
【図８】図７に表わされた基本容器の上面図である。
【図９】本発明の第三の実施形態に従ったモジュール式容器を構成する基本容器の側面図である。
【図１０】図９に表わされた基本容器の上面図である。
【発明を実施するための形態】
【００３１】
図中、モジュール式容器は、互いの中に軸方向に連続して嵌込まれた複数の基本容器１で構成されている。例示されているとおりの三つという基本容器１の数は本発明の範囲に関して制限的なものではなく、この基本容器１の数は２個以上であってよい。これらの基本容器１は類似のものであり、有利には同じ金型から成形によって得られる。
【００３２】
各基本容器１は、特に図３に例示されているような取外し可能な栓３を具備するように想定された首部２を有する。首部２は、円錐形ゾーンにより延長された全体的に円筒形のゾーンを有する。基本容器の底面４は陥凹状態になっており、この陥凹部５は、本発明のモジュール式容器を得るべく複数の基本容器１相互の延長線上の嵌込みを可能にするため、首部２の形状と相補的な形状を呈している。
【００３３】
首部２と底面４の円錐形ゾーンは、協働するそれぞれの嵌込み機構６および７を有する。これらの嵌込み機構６、７は、各々、隣接する基本容器１の相補的な傾斜路８、９およびストッパ１０、１１と協働する少なくとも一つの傾斜路８、９およびストッパ１０、１１とを組み合わせる。ストッパ１０、１１は、基本容器１相互間の組立てのロック手段を構成するため弾性変形可能である。基本容器１間の軸方向の組立ては、傾斜路８、９を互いに協働させることによるそれらの相対的回転から得られる。この回転行程は、基本容器１の自動的な相対的逆回転を禁止することで基本容器１の軸方向の組立てをロックするため互いにクリッピングにより協働するストッパ１０、１１によって制限されている。
【００３４】
より特定的には、基本容器１の組立てそして逆に類推により基本容器１の分離は、それぞれ、基本容器１の単方向相対回転運動から得られる。ユーザが単純に実施できるかかる運動は第一段階において基本容器１の軸方向の組立てを、そして第二段階においてはこの動作を中断することなくこの組立てのロックを提供する。基本容器１の組立てのロックおよびロック解除は、限られた大きさの、かつ、ユーザにとってはわずかな力しか及ぼさすにすむそれぞれの動作から得られる。これらの力は小さいものであるため、基本容器１は保護され、それらの組立ての際の相対的な心出しに有利に作用し、ユーザにとって快適な取扱いを提供することでモジュール式容器の人間工学は最適化される。基本容器１の組立ては、ユーザが加える力の如何に関わらず、迅速かつ確実な基本容器１の相対的回転から得られる。この組立ての個別のロックには、基本容器１相互の形態および／または整列を改変し得る、および／または基本容器１を脆化ひいては劣化させ得る力が関与していない。
【００３５】
図１から図５に例示されている第一の変形実施形態に従うと、嵌込み機構６、７は、それぞれ底面４および首部２の周方向に半径方向に等分布した状態で複数存在している。これらの嵌込み機構６、７には各々傾斜路８、９とストッパ１０、１１が一体化されており、底面４および首部２の円錐形ゾーンの母線に対応する包括的方向性に沿って延びている。この延長という語は、その幾何学的意味で把握すべきものであり、これらの嵌込み機構６、７が一つの角度領域に広がった幅を呈していることがわかる。特に図５では、嵌込み機構６、７は、基本容器１相互間の心出しを強化するような形で１２０°で分布させられた状態で、底面４および首部２の各々について少なくとも三つずつある。首部２の嵌込み機構６は、底面４の嵌込み機構７と部分的に重ね合わせて置かれている。なお図４を参照すると、この部分的重ね合わせは、基本容器相互への嵌合せのための力を加え次に首部２および底面４の嵌込み機構６、７上にそれぞれ設けられた傾斜路８、９間の協働に基づくフックにより基本容器１、１’を互いに組立てる必要なく、一つの基本容器１の首部２をもう一つの基本容器１’の底面４の内部に軸方向に導入することができるようにすることを目的としている。
【００３６】
図４では、傾斜路８、９は、その一方９が基本容器１の底面４内に設けられこの基本容器１の底面に向かって通じている凹状部の構造にされ、他方８がもう一つの基本容器１’の首部２の円錐形ゾーン上に設けられた凸状部の構造にされている。嵌込み機構６が凸状で有し、首部２に備わっている傾斜路８は、特に接合のための舌状突出部の形態を有し、一方嵌込み機構７が凹状で有し、底面４に備わっているもう一つの傾斜路９は、底面４の厚みの中に設けられた道筋状の形態を有している。嵌込み機構６、７は、５０°〜７０°の間におよそ含まれる角度領域Ｐ１にわたって、そしてより特定的には６０°の領域にわたって各々延びている。傾斜路８、９は、より特定的には、１５°〜２５°の間におよそ含まれる角度領域Ｐ２にわたって、そしてより特定的には２１°の領域にわたって延びている。首部２の嵌込み機構６と底面４の嵌込み機構７の間のそれらの重なり合いの角度領域Ｐ３はというと、それはおよそ４０°である。これらの数値的情報は、単なる一例として示されており、本来、本発明の範囲を制限するものではないという点を指摘しておきたい。
【００３７】
傾斜路８、９相互間をフックにより協働状態におくことで得られる軸方向の組立てをロックするために、傾斜路８、９の端部にストッパ１０、１１が設けられている。ストッパ１０、１１のこの位置は、それらの弾性変形に基づくクリッピングによるロックを提供している。一方のストッパ１０は舌状形の嵌込み機構６の端部に設けられた隆起の形態をしており、もう一方のストッパ１１は、対応する隆起状のストッパ１０を収容するため、道筋状の傾斜路９の底面に設けられた溝の形態を有している。本発明のモジュール式容器を形成する目的で二つの基本容器１、１’を互いに組立てるため、一方の基本容器１’の首部２がもう一方の基本容器１の底面４の内部にスライド導入される。嵌込み機構６、７は類似の角度領域に沿って延びることから、底面４内への首部２の軸方向導入が半径方向に誘導され、いかなる力も必要としないという点に留意すべきである。その後、基本容器１および／または１’のうちの少なくとも一つが、対応する道筋状の傾斜路９の内部への、接合のための舌状突出部を有する傾斜路８の通過のため回転操作される。この作業も又特別な力無しで実施される。最後に、基本容器１および／または１’の回転行程の終りで、ユーザによってさらに回転による強い圧力が加えられると、ストッパ１０、１１相互間のクリッピングが誘発され、かくして二つの基本容器１、１’間の嵌合せによる組立てがロックされる。基本容器１、１’を互いに分離させるためには、上述の操作を逆に行なうだけでよい。
【００３８】
図６から図１０に例示されている第二の変形実施形態に従うと、嵌込み機構６、７は、基本容器１の首部２上に設けられた凸状のもの６についてはプレート１２、そして底面４に設けられた凹状のもの７については相補的形状をもつ陥凹部１３の形態を有する。プレート１２は、対応する嵌込み機構６の周方向に延びるような形でその一区分の中に設けられている半径方向に等分布した三つの傾斜路８を有している。陥凹部１３は、相補的形状の傾斜路９を対応して有している。各傾斜路は、軸方向にその深さが方向づけされているストッパ１０、１１を有する。球状クラウンの形に配置されたストッパ１０が、プレート１２の上部面に対して軸方向で凸状に設けられ、一方、キャップの形に配置されたストッパ１１は、陥凹部１３の中に凹状に設けられている。
【００３９】
より特定的には、図９および図１０に例示されている実施形態では、傾斜路８、９にはさらに、深さが半径方向に方向づけされている相補的形状のストッパ１４、１５が備わっている。
【００４０】
傾斜路状の嵌込み機構の配置により、嵌込み機構の漸進的な弾性変形、および、ロックを得るためにユーザが特定の力を加える必要の無い嵌込み機構の解放に基づく組立ての自動的ロックを有利に誘発するためのそれらの容易な活用が可能となる。より特定的には、図６〜図８について例示された実施形態では、プレート１２の上部面は、二つの基本容器１間の回転による組立て運動の際にストッパ１０、１１に接触して圧力を誘発することのできるらせんを形成するため、基本容器１の軸との関係において傾斜した前方傾斜路１６を画定している。
【符号の説明】
【００４１】
１    基本容器
２    首部
３    栓
４    底面
５    回転構造の陥凹部
６    嵌込み機構
７    嵌込み機構
８    傾斜路
９    傾斜路
１０  ストッパ
１１  ストッパ
１２  プレート
１３  相補的形状の陥凹部
１４  ストッパ
１５  ストッパ
１６  前方傾斜路
【先行技術文献】
【特許文献】
【００４２】
【特許文献１】欧州特許出願公開第１３２１３７０号明細書
【特許文献２】国際公開第０２／１２０７７号パンフレット
【特許文献３】独国特許出願公開第１０２３２５７８号明細書
【特許文献４】国際公開第０２／３６４４４号パンフレット
【特許文献５】英国特許出願公開第２３０３１１４号明細書
【特許文献６】仏国特許発明第８１８９０８号明細書
【図１】
2009537414.tif 000003
【図２】
2009537414.tif 000004
【図３】
2009537414.tif 000005
【図４】
2009537414.tif 000006
【図５】
2009537414.tif 000007
【図６】
2009537414.tif 000008
【図７】
2009537414.tif 000009
【図８】
2009537414.tif 000010
【図９】
2009537414.tif 000011
【図１０】
2009537414.tif 000012
【国際調査報告】
2009537414.tif 000013
2009537414.tif 000014
2009537414.tif 000015
2009537414.tif 000016